【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
メラニン細胞からケラチン形成細胞へのメラニンの移動を調節する物質の能力を評価する方法であって、
ａ）試験物質を提供し、
ｂ）Ｍｙｏ−Ｘを発現する細胞を提供し、
ｃ）ミオシン−Ｘ（Ｍｙｏ−Ｘ）の発現または活性化を調節する試験物質の能力を測定する
段階を含んでなる、方法。
【請求項２】
Ｍｙｏ−Ｘを発現する細胞がメラニン細胞またはケラチン形成細胞である、請求項１に記載の方法。
【請求項３】
試験物質で処理した細胞でのＭｙｏ−Ｘの発現または活性化を対照細胞でのＭｙｏ−Ｘの発現または活性化と比較することを含んでなる、請求項１または２に記載の方法。
【請求項４】
Ｍｙｏ−Ｘの発現または活性を調節する試験物質の能力を測定する段階が、
細胞中または細胞上のＭｙｏ−Ｘタンパク質の量を測定し、
Ｍｙｏ−Ｘタンパク質の合成における前駆体の量を測定し、または
細胞中のメラノソーム移動レベルを測定する
ことを包含する、請求項１〜３のいずれか一項に記載の方法。
【請求項５】
請求項１に記載の方法の段階ａ）〜ｃ）によりメラニンの移動を調節する前記物質の能力を評価し、
Ｍｙｏ−Ｘの発現または活性化を増加させることができる物質を選択する
ことを含んでなる、皮膚または毛髪の色素沈着を高めることができる活性物質を選択する方法。
【請求項６】
請求項１に記載の方法の段階ａ）〜ｃ）によりメラニンの移動を調節する前記物質の能力を評価し、
Ｍｙｏ−Ｘの発現または活性化を減少させることができる物質を選択する
ことを含んでなる、皮膚または毛髪の色素沈着を減少させることができる物質を選択する方法。
【請求項７】
評価される物質が植物抽出物である、請求項１〜６のいずれか一項に記載の方法。
【請求項８】
前記植物抽出物が、大豆の抽出物、好ましくは大豆種子抽出物、さらに好ましくは大豆種皮抽出物、からなる群から選択される、請求項５に記載の方法によって選択される植物抽出物。
【請求項９】
前記植物抽出物が、Ａｒｔｏｃａｒｐｕｓ属植物の抽出物、好ましくはＡｒｔｏｃａｒｐｕｓ  ｈｅｔｅｒｏｐｈｙｌｌｕｓ抽出物、さらに好ましくはＡｒｔｏｃａｒｐｕｓ  ｈｅｔｅｒｏｐｈｙｌｌｕ種子抽出物、Ｃｙａｔｈｅａ属植物の抽出物、好ましくはＣｙａｔｈｅａ  ｃｕｍｉｎｇｉｉ抽出物、さらに好ましくはＣｙａｔｈｅａ  ｃｕｍｉｎｇｉｉ葉抽出物、Ｓｅｃａｌｅ属植物の抽出物、好ましくはＳｅｃａｌｅ  ｃｅｒｅａｌｅ抽出物、さらに好ましくはＳｅｃａｌｅ  ｃｅｒｅａｌｅ種子抽出物、Ｔｈａｌａｓｓｉｏｓｉｒａ属植物の抽出物、好ましくはＴｈａｌａｓｓｉｏｓｉｒａ  ｐｓｅｕｄｏｎａｎａの分泌物、およびＢｕｄｄｌｅｊａ属植物の抽出物、好ましくはＢｕｄｄｌｅｊａ  ａｘｉｌｌａｒｉｓ抽出物、  さらに好ましくはＢｕｄｄｌｅｊａ  ａｘｉｌｌａｒｉｓ葉抽出物、からなる群から選択される、請求項６に記載の方法によって選択された植物抽出物。
【請求項１０】
Ｍｙｏ−Ｘの発現または活性を調節する活性剤としての化粧用組成物または化粧用組成物の調製での、前記組成物が皮膚または毛髪の色素沈着の調節を目的とする、請求項７に記載の方法によって得られうる少なくとも１種類の植物抽出物の使用。
【請求項１１】
少なくとも植物抽出物が請求項８および９に記載の群から選択される、請求項１０に記載の使用。
【請求項１２】
少なくとも植物抽出物が、請求項９に記載の群から選択される、請求項１１に記載の使用。
【請求項１３】
少なくとも植物抽出物が、請求項８に記載の群から選択される、請求項１１に記載の使用。
【請求項１４】
皮膚または毛髪の色素沈着を減少させる活性剤としての化粧用組成物または化粧用組成物の調製での、Ｃｙａｔｈｅａ属植物の抽出物、好ましくはＣｙａｔｈｅａ  ｃｕｍｉｎｇｉｉ抽出物、さらに好ましくはＣｙａｔｈｅａ  ｃｕｍｉｎｇｉｉ葉抽出物、Ｓｅｃａｌｅ属植物の抽出物、好ましくはＳｅｃａｌｅ  ｃｅｒｅａｌｅ抽出物、さらに好ましくはＳｅｃａｌｅ  ｃｅｒｅａｌｅ種子抽出物、およびＴｈａｌａｓｓｉｏｓｉｒａ属植物の抽出物、好ましくはＴｈａｌａｓｓｉｏｓｉｒａ  ｐｓｅｕｄｏｎａｎａの分泌物、からなる群から選択される、少なくとも１種類の植物抽出物の使用。
【請求項１５】
皮膚または毛髪の色素沈着を高める活性剤としての化粧用組成物または化粧用組成物の調製での、請求項８に記載の群から選択される少なくとも１種類の植物抽出物の使用。
【請求項１６】
Ｍｙｏ−Ｘの発現または活性を調節する活性剤として請求項７に記載の方法によって得られうる少なくとも１種類の植物抽出物を含んでなる化粧用組成物を、局所的に用いて、皮膚または毛髪の色素沈着を減少させまたは高める、化粧的ケアの方法。
【請求項１７】
少なくとも植物抽出物が請求項９に記載のものであり、皮膚または毛髪の色素沈着を減少させる、請求項１６に記載の化粧的ケアの方法。
【請求項１８】
少なくとも植物抽出物が請求項８に記載のものであり、皮膚または毛髪の色素沈着を高める、請求項１６に記載の化粧的ケアの方法。
【請求項１９】
請求項１４に記載の群から選択される少なくとも１種類の植物抽出物を含んでなる化粧用組成物を、局所的に用いて皮膚または毛髪の色素沈着を減少させる、化粧的ケアの方法。
【請求項２０】
請求項８に記載の群から選択される少なくとも１種類の植物抽出物を含んでなる化粧用組成物を、局所的に用いて皮膚または毛髪の色素沈着を高める、化粧的ケアの方法。
【請求項２１】
Ｍｙｏ−Ｘの発現または活性を調節する活性物質を含んでなる化粧用組成物を、局所的に用いて皮膚または毛髪の色素沈着を減少させまたは高める、化粧的ケアの方法。
【請求項２２】
活性物質が、Ｍｙｏ−Ｘまたはその機能性部分をコードするＤＮＡまたはＲＮＡとの相互作用によりＭｙｏ−Ｘの発現を調節することができる核酸である、請求項２１に記載の化粧的ケアの方法。
【請求項２３】
核酸がＲＮＡ分子である、請求項２２に記載の化粧的ケアの方法。
【請求項２４】
核酸が、Ｍｙｏ−ＸをコードするｍＲＮＡに対してアンチセンス相互作用またはＲＮＡ干渉をターゲッティングすることができるＲＮＡ分子である、請求項２３に記載の化粧的ケアの方法。
【請求項２５】
核酸が、配列５’ＣＡＧＣＧＧＴＡＴＡＡＧＡＧＡＡＡＴＣＡＡ−３’（配列番号ｌ）を有するＲＮＡｉを介してＭｙｏ−Ｘ  ｍＲＮＡをターゲッティングするｍＲＮＡ分子である、請求項２４に記載の化粧的ケアの方法。
【請求項２６】
癜風、白色粃糠疹、エリテマトーデス、菌状息肉腫、サルコイドーシス、ハンセン病、梅毒および脱色素性母斑を含んでなる群から選択される疾患に関連した色素脱失を包含する皮膚または毛髪の色素脱失の化粧治療を目的とする、
請求項７に記載の方法によって得られうる少なくとも１種類の植物抽出物を含んでなる化粧用組成物の局所的な使用
を含んでなる、請求項１６〜２５のいずれか一項に記載の化粧的ケアの方法。
【請求項２７】
少なくとも１種類の植物抽出物が、請求項８に記載の群から選択される、請求項２６に記載の化粧的ケアの方法。
【請求項２８】
特発性黒色腫、ほくろのような疾患に関連した色素沈着過剰を包含する皮膚または毛髪の色素沈着過剰の化粧治療を目的とする、
請求項７に記載の方法によって得られうる少なくとも１種類の植物抽出物を含んでなる化粧用組成物の局所的な使用
を含んでなる、請求項１６〜２５のいずれか一項に記載の化粧的ケアの方法。
【請求項２９】
白斑のためのような色素脱失した部分を取り囲む皮膚の化粧治療を目的とする、
請求項７に記載の方法によって得られうる少なくとも１種類の植物抽出物を含んでなる化粧用組成物の局所的な使用
を含んでなる、請求項１６〜２５のいずれか一項に記載の化粧的ケアの方法。
【請求項３０】
少なくとも１種類の植物抽出物が、請求項１４に記載の群から選択される、請求項２８または２９に記載の化粧的ケアの方法。
【請求項３１】
請求項７に記載の方法によって得られうる少なくとも１種類の植物抽出物からなる、Ｍｙｏ−Ｘの発現または活性を調節する活性剤。
【請求項３２】
皮膚または毛髪の色素沈着を調節するための、請求項３１に記載のＭｙｏ−Ｘの発現または活性を調節する活性剤。
【請求項３３】
Ｃｙａｔｈｅａ属植物の抽出物、好ましくはＣｙａｔｈｅａ  ｃｕｍｉｎｇｉｉ抽出物、さらに好ましくはＣｙａｔｈｅａ  ｃｕｍｉｎｇｉｉ葉抽出物、Ｓｅｃａｌｅ属植物の抽出物、好ましくはＳｅｃａｌｅ  ｃｅｒｅａｌｅ抽出物、さらに好ましくはＳｅｃａｌｅ  ｃｅｒｅａｌｅ種子抽出物、およびＴｈａｌａｓｓｉｏｓｉｒａ属植物の抽出物、好ましくはＴｈａｌａｓｓｉｏｓｉｒａ  ｐｓｅｕｄｏｎａｎａの分泌物、からなる群から選択される、少なくとも１種類の植物抽出物からなる、皮膚または毛髪の色素沈着を減少させる活性剤。
【請求項３４】
請求項８に記載の群から選択される少なくとも１種類の植物抽出物からなる、皮膚または毛髪の色素沈着を高める活性剤。
【請求項３５】
請求項３１〜３４のいずれか一項に記載の活性剤を含んでなる、化粧用組成物。